(57)【要約】
【課題】　本考案は、被服の上に簡単に羽織ることにより、人体の首回り、腕、手首、手の甲等の皮膚が、太陽光の紫外線に晒されることを少なくし、日焼けを防止するようにした。
【解決手段】　紫外線の透過を抑制する加工がされた布地を使用し、着用者の胴部を包む身頃１の丈がウエスト丈又はウエスト丈より短く、かつ、前打合せのない胸部から腹部にかけて広く開いた身頃１とし、該身頃に袖部２を一体的に形成した。また、紫外線の透過を抑制する加工がされた布地を使用し、少なくとも手首から手の甲を覆う手甲部４を設け、該手甲部を前記袖部２の袖口３に連設し、さらに、手の甲から手甲部４が離脱しないように、手甲部の先端部６に止部７を設けた。
【選択図】　　　図１
0003099672.tif 000002
【実用新案登録請求の範囲】
【請求項１】
紫外線の透過を抑制する加工がされた布地を使用し、着用者の胴部を包む身頃の丈がウエスト丈又はウエスト丈より短い丈で、かつ、前打合せのない胸部から腹部にかけて広く開いた身頃とし、該身頃の両側に袖部を一体的に形成したことを特徴とする日焼け防止用着衣。
【請求項２】
紫外線の透過を抑制する加工がされた布地を使用し、少なくとも手首と手の甲を覆う手甲部を設け、該手甲部を前記袖部の袖口に連設したことを特徴とする請求項１記載の日焼け防止用着衣
【請求項３】
手甲部の先端部に、手の甲から該手甲部が離脱しないように係止する止部を設けたことを特徴とする請求項２記載の日焼け防止用着衣。
【考案の詳細な説明】
【技術分野】
【０００１】
　本考案は、人体の首回り、腕、手首、手の甲等の皮膚が、太陽光の紫外線により日焼けをしないようにした日焼け防止用着衣に関するものである。
【背景技術】
【０００２】
　着用する衣服は、気温が高くなったり、湿度が高くなると、快適さを求め首回りの広く開いた衣服、半袖の衣服、或いは、袖のない衣服を着用するようになる。それ故、皮膚の露出部が増え太陽光の紫外線を直接皮膚に受け日焼けをすることが多くなる。　　　
　また、車の運転時には、手の甲、手の平の側部、手首、腕にかけて太陽光が当たり易く、日焼けをすることが多い。
【０００３】
　日焼けは、色白を好む女性にとっては美容上大きな問題であり、また、日焼けは、シミ、あざ、皮膚がん等の原因になるとされている。それ故、日焼けを防止するため、紫外線を遮蔽する効果のある繊維が色々開発され、これらの繊維を使用した衣服が提案されている（例えば、特許文献１参照。）。
　また、手の甲、手の平の側部、手首は、衣服で覆い隠すことが難しく、この部分の日焼けを防止することはできないため、日焼け防止専用の手袋等を着用しなければならなかった（例えば、特許文献２参照。）。
【０００４】
【特許文献１】特開２０００−３１４０１８号公報
【特許文献２】特開平９−２２８１１５号公報
【考案の開示】
【考案が解決しようとする課題】
【０００５】
　特許文献１の日焼け防止用上着は、胸部から腹部を被う上着本体部としての胴衣部と、その胴衣部の二の腕付近の縫合部に縫い付けられた袖部とを有し、袖部は紫外線等の太陽光線の遮蔽効果を有する生地により形成されているものである。すなわち、日焼けの防止はできるが、袖部の有る衣服となるから、半袖・袖なしの衣服に比べ暑苦しさは回避できない。また、他の日焼け防止を施してない衣服を着用した場合には、この日焼け防止用の専用の上着を重ねて着用することはできないので、当然太陽光線の紫外線を遮蔽することはできない。
　特許文献２の日避け用手袋は、手と腕を覆う手袋と腕袋を備えたものであり、この手袋を使用すると、指先が覆われるため手先が不自由になり、必要に応じて手袋を一々着脱しなければならない欠点がある。
【０００６】
　本発明は、上記の問題点に鑑みて考案されたもので、外出時に簡単に被服の上に羽織ることができる構成とし、首回りや腕等の太陽光の紫外線による皮膚の日焼けを防止することを目的とし、また、少なくとも手首、手の甲を、手先が不自由にならないようにして日焼けを防止することを目的とするものである。
【課題を解決するための手段】
【０００７】
　上記課題を解決するこの考案の請求項１の着衣は、紫外線の透過を抑制する加工がされた布地を使用し、着用者の胴部を包む身頃の丈がウエスト丈又はウエスト丈より短い丈で、かつ、前打合せのない胸部から腹部にかけて広く開いた身頃とし、該身頃の両側に袖部を一体的に形成したことをことを要旨とする。
【０００８】
　上記課題を解決するこの考案の請求項２の着衣は、紫外線の透過を抑制する加工がされた布地を使用し、少なくとも手首と手の甲を覆う手甲部を設け、該手甲部を前記袖部の袖口に連設したことをを要旨とする。
【０００９】
　上記課題を解決するこの考案の請求項３の着衣は、手甲部の先端部に、手の甲から該手甲部が離脱しないように係止する止部を設けたことを要旨とする。
【００１０】
　上記構成を有するこの考案の請求項１記載の着衣は、袖部に手・腕を通し衣服の上から羽織るようにかけて着ると、身頃の上端部が首回りを包むようになり、又、首回りを包むように若干立ち襟状となり、背中側と両肩側の首回りを覆い、また、袖部が腕から手首まで覆うことになる。そして、身頃と袖部を形成する布地は紫外線の透過を抑制するものを使用しているから、背中側と両肩側の首回りと、腕、手首までの皮膚を紫外線から守ることができる。
　また、身頃が胸部から腹部にかけて広く開き前打合せのない形態であり、身頃の丈も短いので、外出する時等に簡単に衣服の上に羽織るようにかけて着ることができ、着用する衣服が半袖の服でも、袖なしの衣服でも、或いは首回りが広く開いた衣服等、肌の露出部の広い服装であっても対応でき、これを羽織ることにより、首回りや腕の皮膚が太陽光の紫外線に晒されることが少なくなる。
【００１１】
　上記構成を有するこの考案の請求項２記載の着衣は、袖口に紫外線の透過を抑制する加工をした布地を用いた手甲部が連設されいるので、手首から手の甲が覆われ、手首、手の甲の皮膚が紫外線に晒されることが少なくなる。
【００１２】
　上記構成を有するこの考案の請求項３記載の着衣は、手甲部の先端部に止部を設けてあり、この止部を中指等に嵌めることにより、手甲部が手の甲に係止され、車の運転中に手の甲から手甲部が離脱することがない。
【考案の効果】
【００１３】
　上記構成を有するこの考案の請求項１記載の日焼け防止用着衣は、太陽光の紫外線に晒される首回りや腕の皮膚の範囲を少なくすることができ、日焼けを防止することができる。また、外出する際に、衣服の上に簡単に羽織るように着ることができるので、服装に関係なく着用することが可能で、かつ、身頃の丈が短く、しかも前打合せのない胸部から腹部にかけて広く開いた身頃としたので、着用者の胴部を包む身頃の面積が少ない。それ故、暑苦しさが少なく、また、簡単に着たり脱いだりすることができるので、太陽光に晒されない場所においては、脱いでおけばよいので使用勝手がよい。
　さらに、太陽光の紫外線から肌を守るだけでなく、室内での冷房による冷えの予防に、衣服の上から羽織って使用することもできる。
【００１４】
　上記構成を有するこの考案の請求項２記載の着衣は、紫外線の透過を抑制する加工をした布地で手甲部を作り、袖口に連設されているので、その手甲部により手首から手の甲までが覆われ、手首、手の甲の皮膚の日焼けを防ぐことができる。
【００１５】
　上記構成を有するこの考案の請求項３記載の着衣は、手甲部の先端部に設けた止部により、手甲部が手の甲から離脱することがなく、例えば、運転する場合にハンドル操作をしても、手首、手の甲が太陽光の紫外線に晒されることが少なく、日焼けを防止することができる。また、指先は開放されているので、手先が不自由になることがない。
【考案を実施するための最良の形態】
【００１６】
　この考案の日焼け防止用着衣を実施するための最良の形態について、図面を参照して詳細に説明する。図１はこの考案の日焼け防止用着衣を示す正面図、図２は袖部と手甲部の部分正面図、図３は手甲部が手を覆う状態を示す斜視図、図４はこの考案の日焼け防止用着衣を着用した状態を示す参考図である。
【００１７】
　図１乃至図４において、１は紫外線を吸収し又は反射させることにより、紫外線の透過を抑制する加工がされた布地を用い、その布地１枚を使用して作られた着用者の胴部（上半身）を包む身頃である。この身頃１の上部には背中側から両肩側の首回りを覆う襟部１ａが設けられ、身頃１の丈はウエスト丈と同じか、或いは、ウエスト丈より短くしたものである。また、身頃１の前身頃１ｂは、その幅を狭くして前面が胸部から腹部にかけて広く開いた前打合せのない形態とし、胴部を包む身頃全体の面積を小さくした構成となっている。
　そして、該身頃１の左右に連続する布地を、二の腕に当たる部分から、袖口３にかけて２つ折りにし、袖部２の下側に当たる部分を縫い合わせることにより筒状の袖部２を身頃１に一体的に形成している。
【００１８】
　上記の袖部２の袖口３には、同じく紫外線の透過を抑制する加工がされた上記身頃１、袖部２と同じ布地で、手首と手の甲から手の平の側部を覆う円筒形の手甲部４が袖口３に縫い付けられている。該手甲部は手の甲側が手の甲全体を覆うように幅広く作られ、手の平側はハンドル等を握る際に邪魔にならないよう手甲部の幅を狭くした形状に作られている。
　さらに、該手甲部４の先端周縁には、同じ布地でフリル状の側縁部５が連設され、手の甲から手の平の側部を緩やかに覆う構成となっている。
【００１９】
　７は手甲部４の先端部６に取り付けられた伸縮性のあるリング状の止部で、この止部７は中指に嵌めその付け根付近まで通し、手甲部４が手の甲に係止できるようにしたものである。
【００２０】
　上記構成により、この日焼け防止用着衣を、紫外線の透過防止の加工がしてない通常着用する衣服の上から羽織るようにかけて着ると、身頃１の上部の襟部１ａが若干立ち襟状となり、背中側から両肩側の首回りの皮膚を覆い日焼けから守ることができる。
　また、袖口３にフリル状の側縁部５を連設した手甲部４が縫い付けられているので、手甲部４及びフリル状の側縁部５により手首から手の甲、手の平の側部まで覆われ、手首、手の甲、手の平の側部の皮膚の日焼けを防ぐことができる。
　さらに、手甲部４の先端部６に設けたリング状の止部７を中指の付け根付近まで嵌め入れることにより、手甲部４が手の甲に固定され、車の運転中等に手・腕を動かしても手甲部４が手の甲から離脱することがなく、手首、手の甲、及び、手の平の側部等が太陽光の紫外線に晒されることが少なくなり日焼けを防止できる。
　さらにまた、手甲部４とフリル状の側縁部５が、手首から手の甲、及び、手の平の側部等を緩やかに覆っている構成であるから、指は自由に動かすことができ手先の不自由さが奪われることなく使用勝手がよい。
【００２１】
　以上この考案を実施するための最良の形態について説明したが、この考案はこうした実施の形態のものに何等限定されず、この考案の要旨を逸脱しない範囲において種々なる形態で実施しうることは勿論である。
【図面の簡単な説明】
【００２２】
【図１】この考案の日焼け防止用着衣の正面図である。
【図２】この考案の日焼け防止用着衣の袖部と手甲部の部分正面図である。
【図３】この考案の日焼け防止用着衣を着用したときの、手と手甲部との関係を示す斜視図である。
【図４】この考案の日焼け防止用着衣を着用した状態を示す参考図である。
【符号の説明】
【００２３】
　１　　身頃
　２　　袖部
　３　　袖口
　４　　手甲部
　５　　フリル状の側縁部
　６　　手甲部の先端部
　７　　止部
【図１】
0003099672.tif 000003
【図２】
0003099672.tif 000004
【図３】
0003099672.tif 000005
【図４】
0003099672.tif 000006